(57)【要約】
　【課題】染みを広げたり布地を傷めたりすることなく染みを取ることが可能な染み取り器を提供する。
　【解決手段】所定の内部空間１Ｓを有し、その内部空間１Ｓに出入りする空気と対象物の染みを取るための染み取り材とを利用して対象物の染みを取り得るようにしたものであって、前記内部空間１Ｓを有する本体１と、前記内部空間１Ｓ内の空気を外部に排出するための排出部２と、前記内部空間１Ｓ外の空気を内部空間１Ｓに吸入するための吸入部３とを備え、前記内部空間１Ｓ内の空気を前記排出部２から強制的に排出した際に前記吸入部３から内部空間１Ｓ内へ吸入される空気を利用して、前記吸入部３の開口を隠蔽すべく配置した対象物に塗布または含浸させた染み取り剤を、その内部空間１Ｓに吸込み得るようにした。
　【選択図】図２
0003100556.tif 000002
【実用新案登録請求の範囲】
【請求項１】
所定の内部空間を有し、その内部空間に出入りする空気と対象物の染みを取るための染み取り材とを利用して対象物の染みを取り得るようにしたものであって、
　前記内部空間を有する本体と、前記内部空間内の空気を外部に排出するための排出部と、前記内部空間外の空気を内部空間に吸入するための吸入部とを備え、
　前記内部空間内の空気を前記排出部から強制的に排出した際に前記吸入部から内部空間内へ吸入される空気を利用して、前記吸入部の開口を隠蔽すべく配置した対象物に塗布または含浸させた染み取り剤を、その内部空間に吸込み得るようにしたことを特徴とする染み取り器。
【請求項２】
前記吸入部が、本体から内部空間内へ突出させて設けた略円筒状のものであって、
　この吸入部の内部空間内に開口させた一端側開口部を、前記排出部の開口部と対面することを避けた位置に配置していることを特徴とする請求項１記載の染み取り器。
【請求項３】
前記吸入部の下端部を、斜めに切り落とした形状の傾斜部を有するように形成していることを特徴とする請求項２記載の染み取り器。
【請求項４】
前記排出部が、本体から外方へ突出させて設けた略円筒状のものであることを特徴とする請求項１乃至３いずれか記載の染み取り器。
【請求項５】
前記排出部の断面形状が、先端に向けて漸次小さくなるものであることを特徴とする請求項４記載の染み取り器。
【請求項６】
前記本体を挟んで前記排出部と略対峙する位置に、把持可能な把持部を備えていることを特徴とする請求項４または５記載の染み取り器。
【請求項７】
前記本体の下端部に、他のものに該本体を安定支持させるための吸盤を備えていることを特徴とする請求項１乃至６いずれか記載の染み取り器。
【請求項８】
前記本体に、染み取り剤を入れた容器を収容可能な容器収容部を設けていることを特徴とする請求項１乃至７いずれか記載の染み取り器。
【請求項９】
前記吸入部の開口を覆う位置に、メッシュ部材を備えていることを特徴とする請求項１乃至８いずれか記載の染み取り器。
【請求項１０】
本体側を開口し反本体側を閉塞する略円筒状をなし、その円筒面に貫通する貫通孔を形成したアダプタ部を備え、このアダプタ部の開口を、前記吸入部の開口と対面する位置に配置していることを特徴とする請求項１乃至９いずれか記載の染み取り器。
【請求項１１】
複数の貫通孔を所定ピッチで配置していることを特徴とする請求項１０記載の染み取り器。
【請求項１２】
前記アダプタ部が、前記本体に着脱可能に取り付けられるものであることを特徴とする請求項１０又は１１記載の染み取り器。
【請求項１３】
前記アダプタ部が、相互に着脱自在に組み立て可能な複数のアダプタ部要素からなるものであって、前記各アダプタ部要素を前記本体に対しても着脱可能に構成していることを特徴とする請求項１０乃至１２いずれか記載の染み取り器。
【考案の詳細な説明】
【技術分野】
【０００１】
本考案は、衣服等の染みを手軽に取るための器具に関するものである。
【背景技術】
【０００２】
　従来、衣服等に付いた染みを取る方法としては、染みの付いた箇所の裏側から当て布をあて、染み取り剤を染み込ませた布地を他の布地で拭いたり、あるいは染み取り剤を染み込ませながら布地を繰り返し叩いて、その染みを取る方法が知られている（例えば、特許文献１参照）。
【特許文献１】実開平５−７４４８８号公報（段落番号００１５、第４図）
【考案の開示】
【考案が解決しようとする課題】
【０００３】
　しかしながら、上述のような染みを取る方法では、かえって染みが広がったり布地が傷んだりするといった問題点を有している。
【０００４】
　そこで、本考案は、上述する問題を解決することを主たる課題とするものである。
【課題を解決するための手段】
【０００５】
　すなわち、本考案の染み取り器は、所定の内部空間を有し、その内部空間に出入りする空気と対象物の染みを取るための染み取り材とを利用して対象物の染みを取り得るようにしたものであって、前記内部空間を有する本体と、前記内部空間内の空気を外部に排出するための排出部と、前記内部空間外の空気を内部空間に吸入するための吸入部とを備え、前記内部空間内の空気を前記排出部から強制的に排出した際に前記吸入部から内部空間内へ吸入される空気を利用して、前記吸入部の開口を隠蔽すべく配置した対象物に塗布または含浸させた染み取り剤を、その内部空間に吸込み得るようにしたことを特徴とする。
【０００６】
　このような構成によれば、例えば、排出部に掃除機のホースを接続し、該排出部より内部空間内の空気を強制的に排出すれば、対象物たる布地の染みに塗布または含浸させた染み取り剤を、該内部空間内に吸引することができる。すなわち、対象物たる布地を他の布地で拭いたり叩いたりすることがないので、染みが広がったり布地が傷んだりすることなく、好適に布地の染みを取ることができる。
【０００７】
　なお、吸入部から吸込んだ染み取り剤が、排出部に排出されることを防ぐためには、前記吸入部が、本体から内部空間内へ突出させて設けた略円筒状のものであって、この吸入部の内部空間内に開口させた一端側開口部を、前記排出部の開口部と対面することを避けた位置に配置していることが望ましい。
【０００８】
　また、吸込んだ染み取り剤の水切りを良くし、吸入部に染み取り剤が残ることを防止するためには、前記吸入部の下端部を、斜めに切り落とした形状の傾斜部を有するように形成していることが好ましい。
【０００９】
　一方、排出部の望ましい態様としては、その排出部が、本体から外方へ突出させて設けた略円筒状のものが挙げられる。
【００１０】
　また、前記排出部の断面形状が、先端に向けて漸次小さくなるものであれば、例えば、掃除機のホースの着脱を容易に行うことが可能となる。
【００１１】
　ところで、持ち運びを容易にするためには、前記本体を挟んで前記排出部と略対峙する位置に、把持可能な把持部を備えていることが望ましい。
【００１２】
　また、染み取り時の安定度を向上するためには、前記本体の下端部に、他のものに該本体を安定支持させるための吸盤を備えていることが好ましい。
【００１３】
　また、前記本体に、染み取り剤を入れた容器を収容可能な容器収容部を設ければ、例えば、別の場所にある染み取り剤を取りに行く手間や片付ける手間を減らせるなど、使い勝手を向上させることができる。
【００１４】
　また、本体に異物を吸込んでしまうといった不具合を防止するためには、前記吸入部の開口を覆う位置に、メッシュ部材を備えればよい。
【００１５】
　また、袖に付いた染みを好適に取るには、本体側を開口し反本体側を閉塞する略円筒状をなし、その円筒面に貫通する貫通孔を形成したアダプタ部を備え、このアダプタ部の開口を、前記吸入部の開口と対面する位置に配置していることが好ましい。
【００１６】
　この場合、複数の貫通孔を所定ピッチで配置していれば、その効果は顕著となる。
【００１７】
　さらに、前記アダプタ部が、前記本体に着脱可能に取り付けられるものであれば、例えば、袖などに付いた染みを取る場合にのみ、好適に用いることができ、利便性を向上させることが可能となる。
【００１８】
　また、例えば袖などの長さが異なる対象物にも好適に対応したり、該染み取り器の収納性を向上させたりするためには、前記アダプタ部が、相互に着脱自在に組み立て可能な複数のアダプタ部要素からなるものであって、前記各アダプタ部要素を前記本体に対しても着脱可能に構成していることが好ましい。
【考案の効果】
【００１９】
　本考案は、所定の内部空間を有し、その内部空間に出入りする空気と対象物の染みを取るための染み取り材とを利用して対象物の染みを取り得るようにしたものであって、前記内部空間を有する本体と、前記内部空間内の空気を外部に排出するための排出部と、前記内部空間外の空気を内部空間に吸入するための吸入部とを備え、前記内部空間内の空気を前記排出部から強制的に排出した際に前記吸入部から内部空間内へ吸入される空気を利用して、前記吸入部の開口を隠蔽すべく配置した対象物に塗布または含浸させた染み取り剤を、その内部空間に吸込み得るようにしたことを特徴とする。
【００２０】
　以上の構成により、例えば、排出部に掃除機のホースＨを接続し、該排出部より内部空間内の空気を強制的に排出すれば、対象物たる布地の染みに塗布または含浸させた染み取り剤を、該内部空間内に吸引することができる。すなわち、対象物たる布地を他の布地で拭いたり叩いたりすることがないので、染みが広がったり布地が傷んだりすることなく、好適に布地の染みを取ることができる。
【考案を実施するための最良の形態】
【００２１】
＜第１実施形態＞
　以下、本考案の一実施の形態を、図１〜図９を参照して説明する。
【００２２】
　図１は、本実施形態の染み取り器Ｐの全体斜視図である。
【００２３】
　本実施形態における染み取り器Ｐは、左右に幅広の外観視略直方体形状をなし内部に所定の内部空間１Ｓを有する本体１と、前記内部空間１Ｓ内の空気を外部に排出するための排出部２と、前記内部空間１Ｓ外の空気を内部空間１Ｓに吸入するための吸入部３とを、合成樹脂により一体に形成してなるとともに、前記本体１を挟んで前記排出部２と略対峙する位置に設けた把持部４と、他のものたる例えば机の天板（図示せず）に前記本体１を安定支持させるためのゴム製の吸盤５とをさらに具備している。また、本実施形態では、この本体１に着脱自在に取り付け可能なアダプタ部６を具備するものとしている。
【００２４】
　以下、各部を説明する。
【００２５】
　本体１は、図１、図２、図３、図４、図５、図６等に示すように、前記内部空間１Ｓを有する主本体１１と、染み取り剤（図示せず）を入れた容器（図示せず）を収容可能な容器収容部１２とを備えてなる。
【００２６】
　より具体的には、主本体１１は、起立する左側壁１１ａ、右側壁１１ｂ、前側壁１１ｃ、後側壁１１ｄ（以下、側壁１１０と総称する。）と、底壁１１１と、上壁１１２とを備えてなる。底壁１１１は、前記側壁１１０の下端縁を連結するものである。上壁１１２は、左側壁１１ａ、前側壁１１ｃ、後側壁１１ｄ及び後述する容器収容部１２の内壁１２ａの上端部を連結するものである。そして、側壁１１０と底壁１１１と上壁１１２と、後述する容器収容部１２の内壁１２ａ及び下壁１２ｂで囲まれる空間を内部空間１Ｓとしている。
【００２７】
　さらに、左側壁１１ａには、前記排出部２の基端を接続させている。右側壁１１ｂには、前記把持部４の基端部を取り付けている。底壁１１１の４隅には、吸盤５を設けている。なお、本実施形態では、底壁１１１と吸盤５との間にスペーサ５１を介在させている。上壁１１２の略中央部には、前記吸入部３を接続させている。また、本実施形態では、この上壁１１２の隅部に、上下に貫通するドレン１１２ａを設けている。そしてさらに、上壁１１２を側壁１１０の上端縁から若干下端側に位置付けて配置することにより、左側壁１１ａ、前側壁１１ｃ、後側壁１１ｄ、内壁１２ａによって、後述するアダプタ部支持部６１を呑み込んで、これを保持し得るようにしている。このとき、そのアダプタ部支持部６１を後述するメッシュ部材７に下方から支持させている。
【００２８】
　容器収容部１２は、図２、図３、図４、図５等に示すように、右側壁１１ｂ、前記前側壁１１ｃ、後側壁１１ｄ、内壁１２ａ、下壁１２ｂとで囲まれる空間を有し、上方に開口を備えた略箱型形状のものである。本実施形態において、この容器収容部１２の高さ寸法が、前記本体１の高さ寸法の略半分の高さ寸法を有するように構成している。
【００２９】
　排出部２は、図１、図２、図３、図５等に示すように、前記左側壁１１ａから突出させて設けた略円筒状のものである。なお、本実施形態では、この排出部２の断面形状が、先端に向けて漸次小さくなるようにしている。
【００３０】
　吸入部３は、図１、図２、図５等に示すように、一端を前記上壁１１２から内部空間１Ｓ内に突出させ、他端を前記上壁１１２から外方へ突出させて設けた略円筒状のものである。そして、内部空間１Ｓ内に位置付けた一端側開口部３ａを、前記排出部２の開口部２ａと対面することを避けた位置に配置している。また、上壁１１２から外方へ突出させた他端側開口部３ｂには、その開口を塞ぐための略矩形状のメッシュ部材７を設けている。なお、本実施形態では、このメッシュ部材７の縦横寸法を上壁１１２の縦横寸法と略一致するようにしている。さらに、本実施形態では、この吸入部３の下端部３０が、斜めに切り落とした形状の傾斜部３１を有するように形成している。そして、この吸入部３の最大の高さ寸法が、前記容器収容部１２の高さ寸法と略同一になるように構成している。
【００３１】
　把持部４は、図２、図４、図５等に示すように、ユーザが把持可能な正面視略コ字状をなすものである。
【００３２】
　吸盤５は、図２、図３、図４等に示すように、ゴム製のものであって、例えば、平面をなす机の天板などに押圧し、その天板に圧着支持させて使用する態様のものである。
【００３３】
　アダプタ部６は、図７、図８、図９に示すように、前記本体１に取り付けて使用するものであって、一端側（アダプタ部６の開口６ｂ）を開口し、他端側を閉塞した略円筒状のものである。そして、前記本体１に取り付ける際には、開口した一端側を取り付けて使用する。また、その円筒面に貫通する複数の貫通孔６ａを所定ピッチで形成してなる。なお、本実施形態では、このアダプタ部６を前記本体１に支持させるために、アダプタ部６がその下端部に平面視略矩形状のアダプタ部支持部６１を備えるようにしている。また、このアダプタ部支持部６１は、上向きに開口する薄型箱状のものである。また、アダプタ部支持部６１の縦横寸法ｘ、ｙを、左右側壁１１ｂ及び前後側壁１１ｄ間の寸法Ｘ、Ｙと略同一に形成している。これにより、このアダプタ部支持部６１が、メッシュ部材７及び左側壁１１ａ、前側壁１１ｃ、後側壁１１ｄ、内壁１２ａによって、保持され得るようにしている。そして、アダプタ部支持部６１の底板６１１には、上下に貫通するドレン６１１ａを設けている。
【００３４】
　以下、本考案の染み取り器Ｐの使用方法を、（Ａ）アダプタ部６を用いずに対象物（図示せず）の染みを取る場合と、（Ｂ）アダプタ部６を用いて対象物の染みを取る場合と、に分けて説明する。
（Ａ）アダプタ部６を用いずに対象物の染みを取る場合
　この方法は、例えば、洋服の前身ごろやハンカチなど、本体１に一部または全部を載置可能な対象物に付いた染みを取る場合に、特に好適に使用できる方法である。
【００３５】
　（１）まず、布地をメッシュ部材７に載置する。このとき、染みの付いた部分が、前記吸入部３の開口を覆う位置に位置付けられるようにする。そして、染み取り剤をその布地に付ける。なお、染み取り剤を予め布地に含浸させておく等、染み取り剤を布地に付ける方法は、実施態様に応じて適宜変更可能である。
【００３６】
　（２）掃除機のホースＨを排出部２に接続する。
【００３７】
　なお、この（１）、（２）は順不同である。
【００３８】
　（３）次に、掃除機のスイッチをいれると、図２に示すように、排出部２より内部空間１Ｓ内の空気が強制的に排出される（図２中Ａ１）。これにより、吸入部３から外部の空気が吸入され（図２中Ａ２）、吸入部３の開口を覆う位置に載置された布地の染みに付けた染み取り剤が、該内部空間１Ｓ内に吸引されることとなる。
【００３９】
　（４）このように、布地を他の布地で拭いたり叩いたりすることがないので、染みが広がったり布地が傷んだりすることなく、好適に布地の染みを取ることができる。
（Ｂ）アダプタ部６を用いて対象物の染みを取る場合
　この方法は、例えば、洋服の袖や裾など、リング状の部位を有する対象物に付いた染みを取る場合に、特に好適に使用できる方法である。
【００４０】
　（１）まず、裾や袖を、その先端がアダプタ部６の下部に位置付けられるようにアダプタ部６の上部から覆うように取り付ける。
【００４１】
　（２）掃除機のホースＨを排出部２に接続する。
【００４２】
　なお、この（１）、（２）は順不同である。
【００４３】
　（３）次に、掃除機のスイッチをいれると、図８に示すように、排出部２より内部空間１Ｓ内の空気が強制的に排出される（図８中Ａ３）。これにより、アダプタ部６の貫通孔６ａを介して吸入部３から外部の空気が吸入され（図７中Ａ４）、アダプタ部６に取り付けた裾や袖の染みに付けた染み取り剤が、該内部空間１Ｓ内に吸引されることとなる。
【００４４】
　（４）このように、裾や袖を他の布地で拭いたり叩いたりすることがないので、染みが広がったり布地が傷んだりすることなく、好適に裾や袖の染みを取ることができる。
【００４５】
　以上のように、（Ａ）、（Ｂ）いずれの場合においても、染みが広がったり対象物が傷んだりすることなく、好適に対象物の染みを取ることができる。
【００４６】
　なお、吸入部３の内部空間１Ｓ内に開口させた開口部を、前記排出部２の開口部と対面することを避けた位置に配置しているので、この吸入部３から吸込んだ染み取り剤が、排出部２に排出されることがないので、染み取り剤が掃除機に吸込まれるといった不具合を防止できる。
【００４７】
　また、吸入部３の下端部を、斜めに切り落とした形状の傾斜部３１を有するように形成しているので、吸込んだ染み取り剤の水切りが良くなり、吸入部３に染み取り剤が残ることを好適に防止できる。
【００４８】
　また、前記排出部２を本体１から外方へ突出させ、且つ、その断面形状を先端に向けて漸次小さくなるようにしているので、この排出部２に接続する掃除機のホースＨの着脱を容易に行える。
【００４９】
　また、前記本体１を挟んで前記排出部２と略対峙する位置に、把持可能な把持部４を備えているので、これらを利用して持ち運びを容易に行える。
【００５０】
　さらに、前記本体１の下端部に、机の天板に該本体１を安定支持させるための吸盤５を備えているため、安定して安全に使用することができる。
【００５１】
　また、前記本体１に、染み取り剤を入れた容器を収容可能な容器収容部１２を設けているため、例えば、別の場所にある染み取り剤を取りに行く手間や片付ける手間を減らせるなど、ユーザにとって非常に使い勝手がよいものとすることができる。
【００５２】
　また、前記吸入部３の開口を覆う位置に、メッシュ部材７を備えたことにより、本体１に異物を吸込んでしまうといった不具合を好適に防止できる。
【００５３】
　なお、本考案における構成は、以上説明したものに限定されるものではない。例えば、本実施形態では、本体１と排出部２と吸入部３とを合成樹脂により一体に形成するものとしているが、これらを別々に形成し組み立てたものであってもよい。また、素材も金属製のもの等を用いることも可能である。
【００５４】
　また、把持部４を、正面視コ字状のものとしたが、これに限られるものではない。
【００５５】
　また、吸盤５をゴム製のものとしたが、これに限られるものではない。
＜第２実施形態＞
　以下、本考案の他の実施の形態を、図１０〜図１２を参照して説明する。
【００５６】
　図１０は、本考案の他の実施形態における染み取り器Ｑの構造断面図である。
【００５７】
　本実施形態における染み取り器Ｑは、両端部を塞いだ略円筒形状をなし内部に内部空間８０１Ｓを有する本体８０１と、前記内部空間８０１Ｓ内の空気を外部に排出するための排出部８０２と、前記内部空間８０１Ｓ外の空気を内部空間８０１Ｓに吸入するための吸入部８０３と、対象物を載置または取り付けるためのアダプタ部８０６とを具備している。そして、これら排出部８０２、吸入部８０３およびアダプタ部８０６は、前記本体８０１に対して着脱し得るように構成している。なお、本実施形態では、前記アダプタ部８０６に、形状の異なる第１アダプタ部８０６Ａ（図１０参照）、第２アダプタ部８０６Ｂ（図１１参照）を用意し、これを選択的に吸入部８０３に取り付け得るようにしている。
【００５８】
　以下、各部を説明する。
【００５９】
　本体８０１は、下向きに開口部を有する主本体８１１と、その開口部を下方から塞ぐとともに前記主本体８１１を支持する本体支持部８１２と、前記主本体８１１と前記本体支持部８１２とを取り付ける支持部取付部８１３とを備えてなる。なお、この主本体８１１と本体支持部８１２は、支持部取付部８１３を介して着脱可能に構成している。
【００６０】
　より具体的に説明すると、
　主本体８１１は、主本体円筒部８１１ａと、上壁８１１ｂとを備えてなる。なお、本実施形態では、主本体円筒部８１１ａに排出部８０２を取り付けるための排出部取付孔８１１ａ１を設けている。この排出部取付孔８１１ａ１は、側面視略円形状を有するものである。また、上壁８１１ｂには、吸入部８０３を取り付けるための吸入部取付孔８１１ｂ１を備えている。この吸入部取付孔８１１ｂ１は、平面視略円形状を有するものである。
【００６１】
　本体支持部８１２は、平面視略矩形状のものであって、対向する辺間の長さを前記主本体８１１の外径寸法よりも若干大きな寸法を有するように構成している。また、その上面には、その中央部に薄肉部８１２ａを形成するための段部８１２１を形成している。
【００６２】
　支持部取付部８１３は、前記主本体８１１と本体支持部８１２とを取り付けるためのものであって、平面視円形状の底板８１３ａと、底板８１３ａの周端縁より起立させた略円筒形状の側板８１３ｂと、前記底板８１３ａと側板８１３ｂとを補強するための４つの補強リブ８１３ｃとを備えてなる。
【００６３】
　そして、本実施形態では、この支持部取付部８１３の側板８１３ｂの外径寸法と、前記主本体８１１の内径寸法とを略同一に構成することにより、支持部取付部８１３の側板８１３ｂが、主本体８１１に呑み込まれるようにして取り付けられるようにしている。また、底板８１３ａが、前記本体支持部８１２の薄肉部８１２ａに嵌め込まれて取り付けられるように構成している。
【００６４】
　排出部８０２は、図１０、図１１、図１２に示すように、略円筒状の排出部差込部８０２ａと、この排出部差込部８０２ａの一端部８０２ａ１を基端とする排出部本体部８０２ｂと、前記排出部差込部８０２ａの一端部８０２ａ１から外方に向けて膨出させた排出部膨出部８０２ｃと具備し、これら各部を合成樹脂などによって一体に形成してなる。
【００６５】
　吸入部８０３は、上吸入部８０３Ａと、下吸入部８０３Ｂと、これら上吸入部８０３Ａと下吸入部８０３Ｂとを連結して取り付けるための連結吸入部８０３Ｃとを具備してなる。
【００６６】
　より具体的には、
　上吸入部８０３Ａは、略円筒状を有する上吸入部本体８０３Ａ１と、この上吸入部本体８０３Ａ１の上端部にその円筒面から外方に向けて膨出する鍔部８０３Ａ２とを備えている。なお、本実施形態では、この鍔部８０３Ａ２が、前記上吸入部本体８０３Ａ１の外周と略同心円の関係を有するように構成しているが、これに限られるものではない。
【００６７】
　下吸入部８０３Ｂは、略円筒状のものである。そして、その円筒面にその厚み方向に貫通する複数のスリット８０３ＢＳを、所定間隔で備えている。なお、本実施形態において、このスリット８０３ＢＳが、該下吸入部８０３Ｂの下端縁から上端部にかけて切り欠いた形状を有するようにしている。そして、スリット８０３ＢＳが、排出部８０２の開口と重合することを避ける位置に位置付けられるように構成している。
【００６８】
　連結吸入部８０３Ｃは、平面視略円形状の連結吸入部本体８０３Ｃ１と、この連結吸入部本体８０３Ｃ１の中央部から、上向きに起立させた略円筒形状をなす連結吸入部上突出部８０３Ｃ２と、その中央部から下向きに起立させた略円筒形状をなす連結吸入部下突出部８０３Ｃ３とを備えてなる。
【００６９】
　さらに詳述すると、前記連結吸入部本体８０３Ｃ１は、略中央部に貫通する貫通孔８０３Ｃ１ａを備えている。また、該連結吸入部本体８０３Ｃ１の貫通孔８０３Ｃ１ａの外方には、その厚み方向に貫通する長孔８０３Ｃ１ｂを複数形成してなる。なお、本実施形態において、この長孔８０３Ｃ１ｂを、その長手方向が前記貫通孔８０３Ｃ１ａの法線方向と平行になるように配置している。さらに、その周縁には、下方に向けて起立する略円筒状をなす起立部８０３Ｃ１１を備えている。
【００７０】
　そして、前記連結吸入部上突出部８０３Ｃ２の外径寸法を、前記上吸入部８０３Ａの内径寸法とを略同一に構成している。また、前記連結吸入部下突出部８０３Ｃ３の外径寸法を、前記下吸入部８０３Ｂの内径寸法とを略同一に構成している。これにより、連結吸入部８０３Ｃを介して、上吸入部８０３Ａと下吸入部８０３Ｂとを好適に連結している。
【００７１】
　第１アダプタ部８０６Ａは、図１０に示すように、前記上吸入部８０３Ａに取り付けるための第１アダプタ部取付部８０６Ａ１と、この第１アダプタ部取付部８０６Ａ１の先端周縁を基端とし先端に向けて拡開してラッパ形状をなす拡開部８０６Ａ２と、この拡開部８０６Ａ２の開口を塞ぐように設けてなるメッシュ部材８０６Ａ３とを具備している。なお、本実施形態では、このメッシュ部材８０６Ａ３を、前記拡開部８０６Ａ２から着脱可能に構成している。
【００７２】
　また、本実施形態では、第１アダプタ部取付部８０６Ａ１を略円筒形状に形成するとともに、その外径寸法を、前記上吸入部８０３Ａの内径寸法と略同一に構成している。これにより、第１アダプタ部８０６Ａを吸入部８０３に好適に連結することができる。
【００７３】
　第２アダプタ部８０６Ｂは、図１１に示すように、前記上吸入部８０３Ａに取り付けられるアダプタ部要素たる第２アダプタ部下要素８０６Ｂ１と、この第２アダプタ部下要素８０６Ｂ１に支持されるアダプタ部要素たる第２アダプタ部上要素８０６Ｂ２とを具備してなる。なお、この第２アダプタ部下要素８０６Ｂ１と第２アダプタ部上要素８０６Ｂ２とは、着脱可能に構成しており、第２アダプタ部上要素８０６Ｂ２を、前記上吸入部８０３Ａに直接取り付けることもできるようにしている。
【００７４】
　さらに詳述すると、第２アダプタ部下要素８０６Ｂ１は、略円筒状をなすものである。そして、その下端部に、下端側先端部に向けて下要素薄肉部８０６Ｂ１ａを形成するための下要素段部８０６Ｂ１１を備えている。そして、この下要素薄肉部８０６Ｂ１ａの外径寸法を、前記上吸入部８０３Ａの内径寸法と略同一に形成している。これにより、第２アダプタ部下要素８０６Ｂ１を前記上吸入部８０３Ａに好適に連結することができる。
【００７５】
　第２アダプタ部上要素８０６Ｂ２は、略円筒状をなすものである。そして、その下端部に、下端側先端部に向けて上要素薄肉部８０６Ｂ２ａを形成するための上要素段部８０６Ｂ２１を備えている。そして、この上要素薄肉部８０６Ｂ２ａの外径寸法を、前記第２アダプタ部下要素８０６Ｂ１の内径寸法と略同一に形成している。これにより、第２アダプタ部上要素８０６Ｂ２を第２アダプタ部下要素８０６Ｂ１に好適に連結することができる。また、本実施形態では、該第２アダプタ部上要素８０６Ｂ２の上側開口を塞ぐように着脱可能に設けてなるメッシュ部材８０６Ｂ３を備えている。さらに、該第２アダプタ部上要素８０６Ｂ２の円筒面には、厚み方向に貫通する貫通孔８０６Ｂ２Ｓを形成している。なお、この貫通孔８０６Ｂ２Ｓを、前記第２アダプタ部下要素８０６Ｂ１の円筒面にも形成するようにしてもよい。
【００７６】
　なお、第１アダプタ部８０６Ａを第２アダプタ部下要素８０６Ｂ１に取り付けて使用するといった実施態様も考えられる。
【００７７】
　以下、本考案の染み取り器Ｑの使用方法を、（Ｃ）第１アダプタ部８０６Ａを用いて対象物の染みを取る場合と、（Ｄ）第２アダプタ部８０６Ｂを用いて対象物の染みを取る場合と、に分けて説明する。
（Ｃ）第１アダプタ部８０６Ａを用いて対象物の染みを取る場合
　この方法は、例えば、洋服の前身ごろやハンカチなど、第１アダプタ部８０６Ａのメッシュ部材８０６Ａ３に一部または全部を載置可能な対象物に付いた染みを取る場合に、特に好適に使用できる方法である。
【００７８】
　（１）まず、布地をメッシュ部材８０６Ａ３に載置する。そして、染み取り剤をその布地に付ける。なお、染み取り剤を予め布地に含浸させておく等、染み取り剤を布地に付ける方法は、実施態様に応じて適宜変更可能である。
【００７９】
　（２）掃除機のホースＨを排出部８０２に接続する。
【００８０】
　なお、この（１）、（２）は順不同である。
【００８１】
　（３）次に、掃除機のスイッチをいれると、排出部８０２より内部空間８０１Ｓ内の空気が強制的に排出される。これにより、長孔８０３Ｃ１Ｂ、スリット８０３ＢＳ、貫通孔８０３Ｃ１ａを介して、メッシュ部材８０６Ａ３から外部の空気が吸入され（図１０中Ｃ２）、メッシュ部材８０６Ａ３を覆う位置に載置された布地の染みに付けた染み取り剤が、該内部空間８０１Ｓ内に吸引されることとなる。
【００８２】
　（４）このように、布地を他の布地で拭いたり叩いたりすることがないので、染みが広がったり布地が傷んだりすることなく、好適に布地の染みを取ることができる。
【００８３】
　なお、このとき、吸い込んだ染み取り剤は、一端、スリット８０３ＢＳの位置まで下がるため、このスリット８０３ＢＳより上方にある排出部８０２から排出されることを好適に防止することができる。
（Ｄ）第２アダプタ部８０６Ｂを用いて対象物の染みを取る場合
　この方法は、例えば、洋服の袖や裾など、リング状の部位を有する対象物に付いた染みを取る場合に、特に好適に使用できる方法である。そして、袖などの長さに応じて、第２アダプタ部上要素８０６Ｂ２を、上吸入部８０３Ａに直接取り付けてもよいし、第２アダプタ部下要素８０６Ｂ１を介して取り付けてもよい。
【００８４】
　（１）まず、裾や袖を、その先端が第２アダプタ部下要素８０６Ｂ１の下部に位置付けられるように第２アダプタ部上要素８０６Ｂ２の上部から覆うように取り付ける。
【００８５】
　（２）掃除機のホースＨを排出部８０２に接続する。
【００８６】
　なお、この（１）、（２）は順不同である。
【００８７】
　（３）次に、掃除機のスイッチをいれると、排出部８０２より内部空間８０１Ｓ内の空気が強制的に排出される。これにより、長孔８０３Ｃ１Ｂ、スリット８０３ＢＳ、貫通孔８０３Ｃ１ａを介して、第２アダプタ部上要素８０６Ｂ２のメッシュ部材８０６Ｂ３および貫通孔８０６Ｂ２Ｓから外部の空気が吸入され（図１１中Ｃ４）、第２アダプタ部上要素８０６Ｂ２に取り付けた裾や袖の染みに付けた染み取り剤が、該内部空間８０１Ｓ内に吸引されることとなる。
【００８８】
　（４）このように、裾や袖を他の布地で拭いたり叩いたりすることがないので、染みが広がったり布地が傷んだりすることなく、好適に裾や袖の染みを取ることができる。
【００８９】
　なお、このとき、吸い込んだ染み取り剤は、（Ｃ）の場合と同様、一端、スリット８０３ＢＳの位置まで下がるため、このスリット８０３ＢＳより上方にある排出部８０２から排出されることを好適に防止することができる。
【００９０】
　以上のように、（Ｃ）、（Ｄ）いずれの場合においても、染みが広がったり対象物が傷んだりすることなく、好適に対象物の染みを取ることができる。
【００９１】
　また、排出部８０２や吸入部８０３やアダプタ部８０６を、本体８０１から容易に取り外すことができるので、収納をコンパクトにできる。また、各部の清掃も容易に行うことができる。
【００９２】
　なお、各部の具体的な構成は、上述した実施形態のみに限定されるものではなく、本考案の趣旨を逸脱しない範囲で種々変形が可能である。
【図面の簡単な説明】
【００９３】
【図１】本考案の実施形態における染み取り器（アダプタ部なし）を示す全体斜視図。
【図２】同実施形態における染み取り器の構造断面図。
【図３】同実施形態における染み取り器の左側面図。
【図４】同実施形態における染み取り器の右側面図。
【図５】同実施形態における染み取り器の平面図。
【図６】同実施形態における染み取り器の構造断面図。
【図７】本考案の他の実施形態における染み取り器（アダプタ部有り）を示す全体斜視図。
【図８】同実施形態における染み取り器の構造断面図。
【図９】同実施形態におけるアダプタ部の側面図及び平面図。
【図１０】本考案の他の実施形態における染み取り器の構造断面図。
【図１１】同実施形態における染み取り器の構造断面図。
【図１２】同実施形態における染み取り器の構造断面図。
【符号の説明】
【００９４】
１・・・本体
１Ｓ・・・内部空間
２・・・排出部
２ａ・・・排出部２の開口部
３・・・吸入部
３ａ・・・一端側開口部
３ｂ・・・他端側開口部
４・・・把持部
５・・・吸盤
６・・・アダプタ部
６ａ・・・貫通孔
６ｂ・・・アダプタ部６の開口
７・・・メッシュ部材
１２・・・容器収容部
３０・・・吸入部３の下端部
３１・・・傾斜部
８０１・・・本体
８０１Ｓ・・・内部空間
８０２・・・排出部
８０３・・・吸入部
８０６・・・アダプタ部
８０６Ａ・・・第１アダプタ部
８０６Ａ３・・・メッシュ部材
８０６Ｂ・・・第２アダプタ部
８０６Ｂ１・・・アダプタ部要素（第２アダプタ部下要素）
８０６Ｂ２・・・アダプタ部要素（第２アダプタ部上要素）
８０６Ｂ２Ｓ・・・貫通孔
８０６Ｂ３・・・メッシュ部材
Ｐ・・・染み取り器
Ｑ・・・染み取り器
【図１】
0003100556.tif 000003
【図２】
0003100556.tif 000004
【図３】
0003100556.tif 000005
【図４】
0003100556.tif 000006
【図５】
0003100556.tif 000007
【図６】
0003100556.tif 000008
【図７】
0003100556.tif 000009
【図８】
0003100556.tif 000010
【図９】
0003100556.tif 000011
【図１０】
0003100556.tif 000012
【図１１】
0003100556.tif 000013
【図１２】
0003100556.tif 000014